(57)【要約】【課題】コンテンツデータの用途に応じて事後的にコンテンツデータの保存形式を変更し、それによりコンテンツデータを記憶するメモリの残量をより多く確保できるようにする。【解決手段】ユーザーにより指定されたコンテンツデータについて、次回の印刷が不可と判断されると（ステップＳ５０５，ＮＯ）、コンテンツデータをより小容量のデータに変換可能か否かを判断する（ステップＳ５０６）。変換可能であると判断した場合には、たとえば表示部の画面サイズに応じた画像の縮小処理を行い（ステップＳ５０７）、ＲＡＭ内の変換前のコンテンツデータを変換後のデータで更新する（ステップＳ５０８）。【選択図】  図５
2004282383.tif 000002
【特許請求の範囲】
【請求項１】
コンテンツデータの配信を受け、所定の処理を行う通信端末装置であって、
配信されたコンテンツデータを記憶する記憶手段と、
前記記憶手段に記憶されている特定のコンテンツデータに対する前記所定の処理に設けられている制限の情報を取得する取得手段と、
前記制限の情報に基づいて、前記特定のコンテンツデータをより小容量のデータに変換可能か否かを判断する判断手段と、
前記判断手段による判断結果に応じて、前記特定のコンテンツデータを当該小容量のデータに変換する変換手段と、
前記記憶手段における前記特定のコンテンツデータを、前記変換手段による変換後のデータで更新するデータ更新手段と
を有することを特徴とする通信端末装置。
【請求項２】
さらに、
前記特定のコンテンツデータに対する前記所定の処理の可否を、その特定のコンテンツデータの前記制限の情報に基づき決定する決定手段と、
前記決定手段により前記所定の処理が不可とされたときに、前記判断手段、変換手段、およびデータ更新手段による処理を行わせるよう制御する制御手段と
を有することを特徴とする請求項１に記載の通信端末装置。
【請求項３】
前記所定の処理は、印刷処理または電子メール送信処理の少なくともいずれかであることを特徴とする請求項１または２に記載の通信端末装置。
【請求項４】
ユーザーからの指示に応じて、前記記憶手段に記憶されている個々のコンテンツデータに対して、前記判断手段、変換手段、およびデータ更新手段による処理を行わせるよう制御する制御手段を更に有することを特徴とする請求項１に記載の通信端末装置。
【請求項５】
コンテンツデータの配信を受け、所定の処理を行う通信端末装置の制御方法であって、
メモリに格納されている配信されたコンテンツデータのうちの特定のコンテンツデータに対する前記所定の処理に設けられている制限の情報を取得する取得ステップと、
前記制限の情報に基づいて、前記特定のコンテンツデータをより小容量のデータに変換可能か否かを判断する判断ステップと、
前記判断ステップでの判断結果に応じて、前記特定のコンテンツデータを当該小容量のデータに変換する変換ステップと、
前記メモリにおける前記特定のコンテンツデータを、前記変換ステップによる変換後のデータで更新するデータ更新ステップと
を有することを特徴とする通信端末装置の制御方法。
【請求項６】
コンテンツデータの配信を受け、所定の処理を行う通信端末装置を制御するためのプログラムであって、
メモリに格納されている配信されたコンテンツデータのうちの特定のコンテンツデータに対する前記所定の処理に設けられている制限の情報を取得する取得ステップ、
前記制限の情報に基づいて、前記特定のコンテンツデータをより小容量のデータに変換可能か否かを判断する判断ステップ、
前記判断ステップでの判断結果に応じて、前記特定のコンテンツデータを当該小容量のデータに変換する変換ステップ、
前記メモリにおける前記特定のコンテンツデータを、前記変換ステップによる変換後のデータで更新するデータ更新ステップ、
を実行させるためのプログラム。
【請求項７】
請求項６に記載のプログラムを格納したコンピュータ読み取り可能な記憶媒体。
【発明の詳細な説明】
【０００１】
【発明の属する技術分野】
本発明は、コンテンツデータの配信を受ける通信端末装置におけるコンテンツデータの管理技術に関する。
【０００２】
【従来の技術】
ネットワークに接続されたサーバにある各種コンテンツ、音楽データや画像、あるいはテキスト情報などネットワークを介してサーバから取得する情報通信端末は一般に、受信したコンテンツデータを、表示部に表示するだけでなく、印刷したり、電子メールで送信したりすることができる。例えば、写真や絵のようなコンテンツデータは印刷出力して鑑賞することもできるし、端末の液晶表示部に表示して観賞することもできる。
【０００３】
ところで、コンテンツが有料のものや著作権で管理されている場合、取得した端末内での処理内容に制限が設けられているものがある。例えば印刷用のコンテンツデータの中には著作権の保護などの理由で規定の回数を超えて印刷を行なってはいけない等である。端末内のメモリを有効に使用するためには、ある用途での使用ができなくなってしまった時点でコンテンツデータを消去してしまうことが考えられるが、消去してしまうとコンテンツデータを別の用途で使用したいと考えるユーザーにとって不都合となる。そのためにはコンテンツデータを消去せずそのままメモリに保存しておくことも考慮しなければならない。
【０００４】
【発明が解決しようとする課題】
しかしながら、写真や絵のような印刷用のコンテンツデータは高画質、高精細であることが求められるため、容量の大きなデータをメモリに保存しておかなければならない。つまり印刷用コンテンツデータの印刷回数が規定印刷回数を超えてしまった場合でも他の用途に使用されることを考慮してこのような大きな容量の印刷用コンテンツデータをそのままメモリに保存しておく必要がある。
【０００５】
一方で、ユーザーが印刷用コンテンツデータを表示用としても使用したいと考えた場合、液晶表示部の解像度や画面サイズによっては印刷に求められるほど高画質、高精細ではなくとも充分な場合がある。このような場合、データとしては印刷用と比べると小さいデータ量で済むにもかかわらず前述したように印刷用コンテンツデータとして保存してしまうため余分にメモリを使用してしまうことになる。
【０００６】
そこで、本発明は、コンテンツデータの用途に応じて事後的にコンテンツデータの保存形式を変更し、それによりコンテンツデータを記憶するメモリの残量をより多く確保できるようにすることを目的とする。
【０００７】
【課題を解決するための手段】
本発明の一側面によれば、コンテンツデータの配信を受ける通信端末装置であって、受信したコンテンツデータおよびその属性情報を記憶する記憶手段と、前記記憶手段に記憶されている特定のコンテンツデータをより小容量のデータに変換可能か否かを、対応する属性情報に基づき判断する判断手段と、前記判断手段による判断結果に応じて、前記特定のコンテンツデータを当該小容量のデータに変換する変換手段と、前記記憶手段における前記特定のコンテンツデータを、前記変換手段による変換後のデータで更新するデータ更新手段とを有することを特徴とする通信端末装置が提供される。
【０００８】
本発明の他の側面によれば、コンテンツデータの配信を受け、所定の処理を行う通信端末装置の制御方法であって、メモリに格納されている配信されたコンテンツデータのうちの特定のコンテンツデータに対する前記所定の処理に設けられている制限の情報を取得する取得ステップと、前記制限の情報に基づいて、前記特定のコンテンツデータをより小容量のデータに変換可能か否かを判断する判断ステップと、前記判断ステップでの判断結果に応じて、前記特定のコンテンツデータを当該小容量のデータに変換する変換ステップと、前記メモリにおける前記特定のコンテンツデータを、前記変換ステップによる変換後のデータで更新するデータ更新ステップとを有することを特徴とする通信端末装置の制御方法が提供される。
【０００９】
【発明の実施の形態】
以下、図面を参照して本発明の好適な実施形態について詳細に説明する。
【００１０】
図１は、実施形態における通信端末装置としてのファクシミリ装置２０２の構成を示すブロック図である。実施形態におけるファクシミリ装置２０２は、ファクシミリ（ＦＡＸ）通信機能の他、ネットワークを経由してサーバからコンテンツデータをダウンロードして印刷したり、電子メール（以下、単に「メール」という。）により送信する機能を備える。
【００１１】
１０１は原稿を光学的に読み取って画像データに変換する画像読み取り部、
１０２はファクシミリ装置全体の制御を行うＣＰＵ、
１０３はＣＰＵ１０２の動作プログラムを格納するＲＯＭ、
１０４はＣＰＵ１０２のワークメモリとなったり受信したデータを格納したりするＲＡＭ、
１０５は画像読み取り部１０１で読み取ったり通信回線経由で受信して得た画像データをプリントする記録部、
１０６はビットマップデータの表示が可能な表示部、
１０７はユーザーがキーなどでファクシミリの操作を行う操作部、
１０８は通信回線経由でデータの送受信を行うためのデータモデム、
１０９は通信回線経由でファクシミリの送受信を行うためのＦＡＸモデム、
１１０は通信回線から受信するデータをデータモデム１０８またはＦＡＸモデム１０９に振り分けるためのクロスポイントスイッチである。
【００１２】
図２は、上記のファクシミリ装置２０２を含むネットワークシステムの構成および、ファクシミリ装置２０２によるコンテンツのダウンロード処理のシーケンスを示す図である。
【００１３】
２０１はコンテンツサーバで、ページ情報など、クライアントとの間で情報を更新するＷｅｂサーバ２０５と、印刷用画像データなど、各種コンテンツをもつダウンロード（ＤＬ）サーバ２０６とを含む。コンテンツサーバ２０１とファクシミリ装置２０２とは、公衆回線などの回線で接続され、ファクシミリ装置２０２からは、例えばダイヤルアップによりゲートウェイ（ＧＷ）２０３およびインターネット２０４を経由してＷｅｂサーバ２０５や、ＤＬサーバ２０６に接続される。
【００１４】
ファクシミリ装置２０２がＷｅｂサーバ２０５に新しいページ情報を要求すると、Ｗｅｂサーバ２０５は指定されたページ情報をファクシミリ装置２０２に送信する。ここで、ページ情報はたとえばＨＴＭＬなどマークアップ言語で記述されているものとする。ファクシミリ装置２は、ページ情報を受信すると、その情報を解読して表示用データに変換し、表示部１０６で表示する。
【００１５】
２０７は表示内容の一例を示している。表示されたページに印刷用のコンテンツがある場合、「ダウンロード」ボタンが表示され、これによりユーザーにダウンロード、プリント出力を選択させる。ここで「ダウンロード」が選択されると、そのページに書かれているコンテンツの属性を取得してダウンロードの可否判断を行う。属性情報には、たとえば、ファイル属性（ＪＰＥＧ／ＧＩＦ／ＴＥＸＴ．．．）、ファイルサイズ、縦横サイズ、解像度、フォントタイプ（明朝／ゴシック．．．）などが含まれる。ダウンロードの可否判断は例えば、ファクシミリ装置２０２で受信できる残りメモリ容量（ＲＡＭ１０４の残量）と、ダウンロードするコンテンツのファイルサイズとを比較し、ダウンロードするコンテンツのファイルサイズの方が大きければ受信不可とし、ダウンロードができない旨を表示し、その後ページ情報の表示を続行する。
【００１６】
その後、ユーザーによってダウンロードの開始が指示されると、ファクシミリ装置２０２は自身の装置性能など示す端末情報（ＵｓｅｒＡｇｅｎｔ）やパスワード情報を含むコンテンツのダウンロード要求をＷｅｂサーバ２０５に送信するとともに、ダウンロードを開始する旨の表示を出し、ユーザーに通知する。
【００１７】
Ｗｅｂサーバ２０５はファクシミリ装置２０２からダウンロードの要求を受けると、端末情報と指示内容に基づき配信の可否を判断し、配信可能であればコンテンツを選択してＤＬサーバ２０６から配信する。
【００１８】
ファクシミリ装置２０２は、配信されてくるコンテンツをダウンロード処理としてＲＡＭ１０４に格納しながら、そのコンテンツの属性情報から復元処理を行う。復元処理は、例えばコンテンツがＪＰＥＧファイルであれば、ＪＰＥＧデコーダを使って復元を行い、正しく復元できるか否かを確認する。ダウンロード処理および復元処理が終わると、復元処理の結果を確認し、正常に復元出力可能と判断した場合にはその旨をＷｅｂサーバ２０５に通知する。
【００１９】
Ｗｅｂサーバ２０５は、ファクシミリ装置２０２からダウンロードの正常復元終了通知を受けると、コンテンツが正常に復元できたものとして課金などのコンテンツ配信確定処理を行うことになる。
【００２０】
以上のようにして、ダウンロードしたコンテンツデータがファクシミリ装置２０２内のＲＡＭ１０４に蓄積される。
【００２１】
図３は、ファクシミリ装置２０２のＲＡＭ１０４のメモリマップを示した図である。
【００２２】
３０１はデコード用のバッファで、符号化されたＦＡＸ画像やダウンロードしたコンテンツの復号処理に使用するための領域である。
【００２３】
３０２はブラウザキャッシュで、サーバからのＨＴＭＬなどで記述されたページ情報を格納する領域である。以前に見たページに戻る際、再度サーバとの交信を行わずに済むように、複数ページ分格納できる領域が確保されている。ブラウザキャッシュ３０２はページ分割された所定のページ分格納されると、次ページからは古い順に上書きされる。
【００２４】
３０３はダウンロード領域で、特にダウンロードした印刷用コンテンツを格納する領域である。印刷用コンテンツはサイズが不定であること、および、無条件に上書き処理を行わせない、という理由で、ブラウザキャッシュ３０２とは領域を分けている。
【００２５】
３０４はＦＡＸ画像領域である。受信したＦＡＸ画像や送信待ちのＦＡＸ画像など、符号化されたＦＡＸ画像データが格納される。
【００２６】
３０５は留守録音や通話録音した音声データを格納する領域である。音声はデジタル変換され、さらに圧縮符号化されて格納される。
【００２７】
３０６はプレビュー用バッファである。ＦＡＸ受信画像やダウンロードした印刷用コンテンツを表示用のデータに変換して格納する際に使用する。
【００２８】
３０７はＶＲＡＭである。端末が持つ各種情報や、ブラウザがブラウザキャッシュに格納されたページ情報を解読して表示データに変換した情報、あるいはＦＡＸ受信画像やダウンロードした印刷用コンテンツを表示用のデータに変換した情報、などが格納される。ＶＲＡＭ３０７のデータは周期的に、あるいはデータが書き換えられた時に表示部に反映される。
【００２９】
そして、３０８はダウンロードしたコンテンツの管理情報を格納する領域（ＤＬコンテンツ管理情報領域）である。
【００３０】
図４は、ＤＬコンテンツ管理情報領域３０８に格納されたデータの詳細例を示す図である。
【００３１】
ＤＬコンテンツ管理情報は、ダウンロードした印刷用のコンテンツ毎に生成され、そのコンテンツに関する各種情報を動的に管理する。管理する内容は以下の通りである。
【００３２】
・コンテンツ状態：
そのコンテンツが現在未使用か使用中かを示す情報である。例えばコンテンツデータを表示用として使用している場合は使用中を示す情報が示される。
【００３３】
・コンテンツＩＤ：
ダウンロードしたコンテンツに対しユニークに割り当てられるコードで、ファイルシステムを介してダウンロードしたコンテンツファイルをオープン／クローズする際、そのファイルを指定するのに使用する。
【００３４】
・ダウンロード日時：
印刷用コンテンツをダウンロードして格納した日時を示す情報である。
【００３５】
・最大印刷回数：
そのコンテンツデータに対する印刷処理に設けられている制限の情報としての、そのコンテンツの最大印刷回数を示す情報である。この情報はダウンロード時に取得した属性情報に含まれるものであってもよいし、本装置であらかじめ規定した値でもよい。
【００３６】
・印刷回数：
印刷用コンテンツを実際に印刷した回数を示す情報である。
【００３７】
・最終印刷日時：
一番最後に行った印刷の日時を示す情報である。
【００３８】
・ファイル名：
ダウンロードしたコンテンツファイルのファイル名を示す情報である。
【００３９】
・ファイル属性：
ダウンロードしたコンテンツファイルの属性が記録される。属性としてはたとえば、ＪＰＥＧ／ＧＩＦ／ＴＥＸＴなどのファイルタイプがある。
【００４０】
・ファイルサイズ：
ダウンロードしたコンテンツのファイルサイズを示す情報である。
【００４１】
・ページ数：
ダウンロードしたコンテンツのページ数を示す情報である。
【００４２】
・フォントタイプ：
ダウンロードしたコンテンツのテキストフォントのタイプを示す情報である。フォントタイプとしてはたとえば、明朝／ゴシックなどである。
【００４３】
・縦横サイズ：
ダウンロードしたコンテンツ画像の縦横サイズを示す情報である。
【００４４】
・指定解像度：
ダウンロードしたコンテンツ画像の解像度を示す情報である。
【００４５】
・印刷サイズ：
ダウンロードしたコンテンツ画像の縦横サイズと解像度から計算された印刷サイズを示す情報である。
【００４６】
・その他：
ダウンロードしたコンテンツ画像のメール送信の可否やコンテンツデータの有効期限などの情報である。これらの情報はダウンロード時に取得した属性情報に含まれるものであってもよいし、本装置であらかじめ規定した値でもよい。
【００４７】
以上のような情報のうち「印刷回数」や「最終印刷日時」は、そのコンテンツデータを印刷する都度更新されることはいうまでもない。
【００４８】
このようなＤＬコンテンツ管理情報によれば、コンテンツデータに対する操作がなされたときの対応処理を容易に行うことができる。例えば、ユーザー操作によりコンテンツデータの印刷指示がなされたときに、「印刷回数」が「最大印刷回数」を超えていると、その印刷を行わずに警告を表示するといった処理を容易に行うことができる。
【００４９】
さて、先述したように、ユーザー操作によりコンテンツデータの印刷指示がなされたが、「印刷回数」が「最大印刷回数」を超えていたために印刷ができなかった場合には、ＲＡＭ１０４の空き容量を確保すべく、その時点で当該コンテンツデータをＲＡＭ１０４のダウンロード領域３０３から消去してしまうことも考えられる。しかし、消去してしまうとそのコンテンツは、もはや表示さえできなくなってしまい、印刷はできなくとも少なくとも表示部に表示はさせたいと望むユーザーにとって不都合である。したがって、コンテンツデータを消去せずそのままＲＡＭ１０４に保存しておくことが望ましい。
【００５０】
そこで、実施形態では、印刷用としては該当するコンテンツデータを使用することはできないがユーザーがそのコンテンツデータを表示用として使用したいと望む場合には、表示部１０６の解像度や画面サイズにあわせてそのコンテンツデータを縮小または加工してダウンロード領域３０３内に再度格納するようにする。
【００５１】
図５は、実施形態におけるダウンロード画像の変換処理を示すフローチャートである。
【００５２】
まず、ステップＳ５０１で、ユーザーの所望するコンテンツデータの管理情報を読み出し、ステップＳ５０２で印刷処理を行う。次に、ステップＳ５０３で、そのコンテンツデータをＲＡＭ１０４から消去するかどうかを判断する。これは、印刷終了後にユーザーによって操作部１０７を介して行われた、そのコンテンツデータを消去する／しないの選択操作の結果に基づき行われる。ここで、そのコンテンツデータの消去がユーザーによって指示されたときは、ステップＳ５０４に進み、そのコンテンツデータをＲＡＭ１０４のダウンロード領域３０３から消去する。そのコンテンツデータを消去しない場合にはステップＳ５０５に進む。
【００５３】
ステップＳ５０５では、次回ユーザーによって印刷操作がなされたときにそのコンテンツデータの印刷が可能であるかどうかを判断する。これは、そのコンテンツデータが、「印刷回数」が「最大回数」を超えているかどうか、あるいは、「有効期限」を経過していないかどうか、などの判断を行い、次回も印刷可能であればそのまま本処理を終了する。
【００５４】
一方、次回の印刷は不可と判断されたときは、ステップＳ５０６に進み、コンテンツデータをより小容量のデータに変換することが可能か否かを判断する。具体的には、そのコンテンツデータの使用用途として表示部１０６に待機時の壁紙データとして表示させるなど端末で印刷以外の他の使用用途を考慮し、データの縮小や加工が可能であるかどうかを判断する。変換可能であると判断した場合には、ステップＳ５０７に進み、変換処理として、たとえば表示部１０６の画面サイズに応じた画像の縮小処理を行う。
【００５５】
このような縮小処理の一例を挙げると、表示部１０６はたとえば横（主走査方向）３２０ｄｏｔ、縦（副走査方向）２４０ｄｏｔで、表示幅が横９６ｍｍ、縦７２ｍｍであるとすると、
主走査方向：
３２０ｄｏｔ÷（９６ｍｍ÷２５．４ｍｍ／ｉｎｃｈ）≒８４ｄｐｉ、
副走査方向：
２４０ｄｏｔ÷（７２ｍｍ÷２５．４ｍｍ／ｉｎｃｈ）≒８４ｄｐｉ、
となり、主走査、副走査ともに約８４ｄｐｉとなる。
【００５６】
これに対しコンテンツデータがＡ４サイズで、主走査、副走査ともに２００ｄｐｉの画像であった場合、２００ｄｐｉの画像が８４ｄｐｉになるようにそのコンテンツデータの間引き処理を行う。
【００５７】
こうした変換処理を経た後のコンテンツデータを、ステップＳ５０８で、ダウンロード領域３０３に再格納する。すなわち、ＲＡＭ１０４に格納されている変換前のコンテンツデータを、変換後のコンテンツデータで更新する。
【００５８】
以上説明した処理によれば、所定の条件に応じて、特定のコンテンツデータがより小さなファイルサイズに変換され、これによって、コンテンツデータを記憶するメモリの使用効率を高めることができる。
【００５９】
なお、上記の例は、ユーザーにより指示されたコンテンツデータについて、印刷処理（ステップＳ５０２）後に、次回印刷操作がなされたときにそのコンテンツデータの印刷が可能であるかどうかを判断し（ステップＳ５０５）、その判断結果に基づきステップＳ５０６以降の処理を行うか否かが制御される処理であったが、本発明はこれに限定されるものではない。たとえば、ユーザーにより指示されたコンテンツデータについて、その印刷処理の前に、印刷が可能かどうかを判断して、その判断結果に応じて、ステップＳ５０６以降の処理に対応するコンテンツデータの変換が可能かどうかの判断処理、その後の変換処理ならびにコンテンツデータの更新処理を行うような処理フローとしてもよい。
【００６０】
また、上記の例は、ユーザーにより指示されたコンテンツデータの印刷処理に係るものであったが、この印刷処理も、たとえば著作権管理の制約を受けうるような特定の処理としての一例にすぎないものである。たとえば、コンテンツデータの電子メール送信処理についても同様に本発明を適用することができる。
【００６１】
ところで、上記した例は、印刷処理に伴ってこのようなコンテンツデータの変換処理を行うものであったが、印刷処理とは独立にデータ整理の目的でファクシミリ装置２０２の待機時に、複数のコンテンツデータに対しそれぞれ消去や変換を行わせることも可能である。図６は、このようなデータ整理としての変換処理を示すフローチャートである。
【００６２】
まず、ステップＳ６０１で、コンテンツのインデックス番号を示す内部カウンタｉを０に初期化する。次に、ステップＳ６０２で、ｉ番目のコンテンツデータの管理情報を読み出す。次に、ステップＳ６０３で、そのコンテンツデータをより小容量のデータに変換することが可能か否かを判断する。具体的には、上記したステップＳ５０６と同様に、そのコンテンツデータの使用用途として表示部１０６に待機時の壁紙データとして表示させるなど端末で印刷以外の他の使用用途を考慮し、データの縮小や加工が可能であるかどうかを判断する。変換可能であると判断したときはステップＳ６０４に進み、変換処理として、たとえば表示部１０６の画面サイズに応じた画像の縮小処理を行う。
【００６３】
その後、ステップＳ６０５で、次のコンテンツデータのために内部カウンタｉをインクリメントし、ステップＳ６０５でＲＡＭ１０４のダウンロード領域３０３内のコンテンツデータの総数Ｎとの比較を行い、内部カウンタｉがＮ以上でなければステップＳ６０２に戻って次のコンテンツデータに対する処理を行う。
【００６４】
このような処理構成により、ユーザーは装置の待機時にもＲＡＭ１０４内のコンテンツデータを個別に整理することが可能となり、効果的にメモリ使用量を抑制することができる。
【００６５】
（他の実施形態）
以上、本発明の実施形態を詳述したが、本発明は、例えばシステム、装置、方法、プログラムもしくは記憶媒体等としての実施態様をとることが可能である。また、上述の実施形態では、通信端末装置としてファクシミリ装置を例に説明したが、本発明の通信端末装置はファクシミリ装置に限らず、プリンタ等にも同様に適用可能であることはいうまでもない。また、本発明の通信端末装置は、複数の機器によるシステム構成であってもよいし、また、一つの機器から構成されたものでもよい。
【００６６】
なお、本発明は、前述した実施形態の機能を実現するソフトウェアのプログラム（図５または図６に示すフローチャートに対応したプログラム）を、システムあるいは装置に直接あるいは遠隔から供給し、そのシステムあるいは装置のコンピュータがその供給されたプログラムコードを読み出して実行することによっても達成される場合を含む。その場合、プログラムの機能を有していれば、その形態はプログラムである必要はない。
【００６７】
従って、本発明の機能処理をコンピュータで実現するために、そのコンピュータにインストールされるプログラムコード自体も本発明を実現するものである。つまり、本発明の特許請求の範囲には、本発明の機能処理を実現するためのコンピュータプログラム自体も含まれる。
【００６８】
その場合、プログラムの機能を有していれば、オブジェクトコード、インタプリタにより実行されるプログラム、ＯＳに供給するスクリプトデータ等、プログラムの形態を問わない。
【００６９】
プログラムを供給するための記録媒体としては、例えば、フレキシブルディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などがある。
【００７０】
その他、プログラムの供給方法としては、クライアントコンピュータのブラウザを用いてインターネットのホームページに接続し、そのホームページから本発明のコンピュータプログラムそのもの、もしくは圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザーに対してダウンロードさせるＷＷＷサーバも、本発明のクレームに含まれるものである。
【００７１】
また、本発明のプログラムを暗号化してＣＤ−ＲＯＭ等の記憶媒体に格納してユーザーに配布し、所定の条件をクリアしたユーザーに対し、インターネットを介してホームページから暗号化を解く鍵情報をダウンロードさせ、その鍵情報を使用することにより暗号化されたプログラムを実行してコンピュータにインストールさせて実現することも可能である。
【００７２】
また、コンピュータが、読み出したプログラムを実行することによって、前述した実施形態の機能が実現される他、そのプログラムの指示に基づき、コンピュータ上で稼動しているＯＳなどが、実際の処理の一部または全部を行い、その処理によっても前述した実施形態の機能が実現され得る。
【００７３】
さらに、記録媒体から読み出されたプログラムが、コンピュータに挿入された機能拡張ボードやコンピュータに接続された機能拡張ユニットに備わるメモリに書き込まれた後、そのプログラムの指示に基づき、その機能拡張ボードや機能拡張ユニットに備わるＣＰＵなどが実際の処理の一部または全部を行い、その処理によっても前述した実施形態の機能が実現される。
【００７４】
【発明の効果】
本発明によれば、コンテンツデータの用途に応じて事後的にコンテンツデータの保存形式を変更し、それによりコンテンツデータを記憶するメモリの残量をより多く確保できる。
【図面の簡単な説明】
【図１】実施形態における通信端末装置としてのファクシミリ装置の構成を示すブロック図である。
【図２】実施形態におけるファクシミリ装置を含むネットワークシステムの構成および、ファクシミリ装置によるコンテンツのダウンロード処理のシーケンスを示す図である。
【図３】実施形態におけるファクシミリ装置のＲＡＭのメモリマップを示した図である。
【図４】ＤＬコンテンツ管理情報領域に格納されたデータの詳細例を示す図である。
【図５】実施形態におけるダウンロード画像の変換処理を示すフローチャートである。
【図６】実施形態の別の態様によるダウンロード画像の変換処理を示すフローチャートである。
【図１】
2004282383.tif 000003
【図２】
2004282383.tif 000004
【図３】
2004282383.tif 000005
【図４】
2004282383.tif 000006
【図５】
2004282383.tif 000007
【図６】
2004282383.tif 000008